(57)【要約】      （修正有）【課題】写真・画像・絵画を塗り絵に変換して、その塗り絵を容易に色彩画として完成させることができる数字画塗り絵セットを提供する。【解決手段】写真・画像・絵画Ｇ１を、コンピューター・ソフトウェアによって、写真・画像・絵画に使用されている多種の色が、それらの色毎に線で区分けされた閉領域として出力し、閉領域内部には色毎に異なる数字を記し線画Ｌ１とする。さらに、その線画が描かれた描画面１０を有する下地材１１と、線画Ｌ１に含まれる色毎の閉領域内部に記されている数字に対応する絵具２１・２２・２３・２４及び着色するための絵筆５・６とを備え、線画Ｌ１の内部領域に着色具（絵具及び絵筆）で着色を施して色彩画を完成させることを可能として数字画塗り絵セットを構成する。【選択図】図１
0003180840.tif 000002
【実用新案登録請求の範囲】
【請求項１】
写真・画像・絵画を、コンピューター・ソフトウェアによって、写真・画像・絵画に使用されている多種の色が、それらの色毎に線で区分けされた閉領域として出力し、閉領域内部には色毎に異なる数字が記された線画 を提供する。さらに、その線画が描かれた描画面を有する下地材と、線画に含まれる色毎の閉領域内部に記されている数字に対応する絵具及び絵筆とを備え、線画の内部領域に着色具（絵具及び絵筆）で着色を施して前記色彩画を完成させることを可能とする数字画塗り絵セット。
【請求項２】
前記写真は、カラー、モノクロ写真のいずれをも対象とする請求項 1 に記載の数字画塗り絵セット。
【請求項３】
前記画像は、コンピューター内に存在する画像を対象とする請求項 1 に記載の数字画塗り絵セット。
【請求項４】
前記絵画は、いわゆる絵画を対象とする請求項 1 に記載の数字画塗り絵セット。
【請求項５】
前記コンピューター・ソフトウェアは、写真・画像・絵画を、使用されている多種の色毎に閉領域として著わされた線で区分けし、かつ、閉領域内部には色毎に異なる数字が記された線画として変換する機能を有する請求項 1 に記載の数字画塗り絵セット。
【請求項６】
前記コンピューター・ソフトウェアは、写真・画像・絵画を分析して、前記閉領域に相当する絵具の色をコンピューター・アルゴリズムに従って指定する機能を有する請求事項 １ に]記載の数字画塗り絵セット。
【請求項７】
前記線画が描かれた描画面を有する下地材と、複数の着色具とを備え、前記線画の内部領域に前記着色具で着色を施して前記色彩画を完成させることを可能とする数字画塗り絵セットであって、前記線画に含まれる複数の閉領域の各々に数字が記されているとともに前記各数字と前記着色具の各色とが1対1に対応付けられている数字画塗り絵セット。
【請求項８】
前記下地材は、布及び紙で構成された描画面を有する、請求項 7 に記載の数字画塗り絵セット。
【請求項９】
前記下地材は、板部材又は枠部材に布材及び紙材が貼着されてなるキャンバスである、請求項 7 に記載の数字画塗り絵セット。
【請求項１０】
前記着色具は、絵具と、前記下地材に前記絵具を塗布するための塗布用具と、から構成される、請求項 7 から 8 の何れか一項に記載の数字画塗り絵セット
【請求項１１】
前記絵具は、水性絵具、油絵具、及びアクリル絵具である、請求項10に記載の数字画塗り絵セット。
【請求項１２】
前記下地材及び前記着色具を収納するための箱体及び袋体をさらに備えた、請求項7から11の何れか一項に記載の数字画塗り絵セット。
【考案の詳細な説明】
【技術分野】
【０００１】
本考案は、数字画塗り絵セットに関する。
【背景技術】
【０００２】
従来より、メーカーから提供される所定の図柄(線図)の内部領域を色鉛筆やクレヨンで塗りつぶして特定の色彩画を完成させるようにした遊戯具(以下、「塗り絵玩具」という)が提案なされ、実用化されている。
【０００３】
名画など既成の絵画を線画にして、その閉領域に書かれた数字に対応する塗料を提供して色彩画を完成させることを可能にした塗り絵玩具が提案されている(特許文献 1 参照)。
表示装置に表示された図柄の内部領或にマウスやタッチペン等のポインティングデバイスを用いて所望の着色を施すことを可能にした、コンピューターを用いた塗り絵玩具が提案されている(特許文献 2 参照)。
【先行技術文献】
【特許文献】
【０００４】
【特許文献１】実用新案登録第3168987号公報
【特許文献２】特開2003-85571号公報
【考案の概要】
【考案が解決しようとする課題】
【０００５】
現在提案されている塗り絵玩具は、メーカーから提供される所定の図柄(線図)の内部領域を絵具、色鉛筆及びクレヨンなどで塗りつぶして特定の色彩画を完成させるようにしたものであるため、遊戯者の保有する写真、画像及び絵画を色彩画にしたいという要望には応えられていなかった。また、現在提案されている塗り絵玩具は、下地材の表面に描かれた図柄の内部領域に任意の色彩を施すものであるため、完成された色彩画の出来栄えは、遊戯者の技量に委ねられることとなる。従って、所有する写真・画像・絵画を自らの手で描きたいと願う遊技者や特段の経験や技量を有しない遊戯者にとって、このような与えられた図柄（線画）を描く塗り絵玩具や特段の経験や技量を必要とする塗り絵玩具は使用し難く、満足のいく色彩画を完成させるのは容易ではなかった。
【０００６】
本考案は、かかる事情に鑑みてなされたものであり、ペットや家族・友人、思い出の場面などの写真、画像や絵画を、前記線画に変換して、特段の経験や技量を要することなく精密な色彩画を容易に完成させることができる数字画塗り絵セットを提供することを目的とする。
【課題を解決するための手段】
【０００７】
前記目的を達成するため、本考案に係る数字画塗り絵セットは、コンピューター・ソフトウェアによって、写真・画像・絵画に使用されている多種の色毎に閉領域として著わされた線で区分けされて、かつ、閉領域内部には色毎に異なる数字が記された線画として変換し提供する。そして、持定の色彩画の線画のみが描かれた描画面を有する下地材と、複数色の着色具と、を備え、線画の内部領域に着色具で着色を施して色彩画を完成させることを可能とする数字画塗り絵セットであって、線画に含まれる複数の閉領域の各々に数字が記されているとともに各数字と着色具の各色とが1対1に対応付けられているものである。
【０００８】
前記目的を達成するため、写真・画像・絵画を分析して、前記閉領域に相当する絵具の色をコンピューター・アルゴリズムに従って指定する機能を有するコンピューター・ソフトウェアを使用する。
【０００９】
かかる構成を採用すると、遊技者が所有するペットや家族・友人そして思い出の写真、画像や絵画を線画に変換することが可能となる。下地材の描画面に描かれた線画に含まれる閉領域の数字に対応付けられた色の着色具で着色を施すことができる。このように、線画に含まれる複数の閉領域の各々に、各閉領域に記された数字に対応する色の着色具で着色を施すだけで、特定の色彩画を容易に完成させることができる。従って、本数字画塗り絵セットを採用すると、思い出の写真などだけでなく、いわゆる名画などにきわめて近い色彩画を、特段の経験や技量を要することなく容易に完成させることが可能となる。
【００１０】
本考案に係る数字画塗り絵セットにおいて、紙で構成された描画面を有する下地材を採用することができる。また、布で構成された描画面を有する下地材(例えば、板部材又は枠部材に布材が貼着されてなるキャンバス)を採用することもできる。
【００１１】
また、本考案に係る数字画塗り絵セットにおいて、絵具と、下地材に絵具を塗布するための塗布用具(例えば絵筆)と、から構成される着色具を採用することができる。絵具としては、水性絵具や油性絵具(例えばアクリル絵具)を採用することができる。また、着色具として、クレヨン、色鉛筆などの塗料を採用してもよい。
【００１２】
また、本考案に係る数字画塗り絵セットにおいて、下地材及び着色具を収納する箱体又は袋体をさらに備えることができる。
【００１３】
かかる構成を採用すると、前記線画を有する下地材及び着色具をひとまとめにして展示や販売に供することができる。
【考案の効果】
【００１４】
本考案によれば、遊技者が所有するペットや家族・友人そして思い出の写真、画像や絵画を線画に変換することが可能となり、特段の経験や技量を要することなく精密な色彩画を容易に完成させることができる数字画塗り絵セットを提供することが可能となる。
【図面の簡単な説明】
【００１５】
【図１】本考案の実施形態に係る数字画塗り絵セットの構成を説明するための説明図である。本考案に係る遊戯者の有する写真・画像・絵画をコンピューター・ソフトウェアで作成する構成を説明するための説明図である。数字画塗り絵セットの下地材の描画面に描かれた線画と、線画の各閉領域に記された数字に対応する色と、を説明するための説明図である。
【考案を実施するための形態】
【００１６】
箱体B1は、図1に示すように、略直方体状に形成されており、下地材11及び着色具（絵具2１・２２・２３・２４及び2本の絵筆５・６）を収納することができる大きさを有している。箱体B1は、紙材料や合成樹脂材等で構成することができる。
【００１７】
下地材11及び着色具（絵具及び絵筆）が箱体B1に収納されているので、下地材11及び着色具（絵具及び絵筆）をひとまとめにして展示や販売に供することができる。
【００１８】
その他、本の趣旨を逸脱しない範囲内において種々の設計変更を行うことができるのは勿論である。
【符号の説明】
【００１９】
1…塗り絵玩具セット
11…下地材
10…描画面
21・22・23・24…絵具
5・6…絵筆(塗布用具)
B1…箱体
L1…線画
G1…写真・画像・絵画
【図１】
0003180840.tif 000003
【手続補正書】
【提出日】平成24年10月18日(2012.10.18)
【手続補正１】
【補正対象書類名】実用新案登録請求の範囲
【補正対象項目名】請求項１
【補正方法】変更
【補正の内容】
【請求項１】
写真・画像・絵画を、コンピューター・ソフトウェアによって、写真・画像・絵画に使用されている多種の色が、それらの色毎に線で区分けされた閉領域として出力し、閉領域内部には色毎に異なる数字が記された線画Ｌ１を提供し、その線画が描かれた描画面を有する下地材と、線画に含まれる色毎の閉領域内部に記されている数字に対応する絵具及び絵筆とを備え、線画の内部領域に複数の着色具で着色を施して前記色彩画を完成させることを可能とする数字画塗り絵セット。
【手続補正２】
【補正対象書類名】実用新案登録請求の範囲
【補正対象項目名】請求項６
【補正方法】変更
【補正の内容】
【請求項６】
前記コンピューター・ソフトウェアは、写真・画像・絵画を分析して、前記閉領域に相当する絵具の色をコンピューター・アルゴリズムに従って指定する機能を有する請求項１に記載の数字画塗り絵セット。
【手続補正３】
【補正対象書類名】実用新案登録請求の範囲
【補正対象項目名】請求項７
【補正方法】変更
【補正の内容】
【請求項７】
前記線画Ｌ１が描かれた描画面を有する下地材と、複数の着色具とを備え、前記線画Ｌ１の内部領域に複数の着色具で着色を施して色彩画を完成させることを可能とする数字画塗り絵セットであって、前記線画Ｌ１に含まれる複数の閉領域の各々に数字が記されているとともに各々の数字と絵具の色とが１対１に対応付けられている請求項１に記載の数字画塗り絵セット。